(57)【特許請求の範囲】
【請求項１】
ベースプレートと、
前記ベースプレートの両端において回動可能に支持され、毛髪を挟持する挟持位置及びそこから退避した開放位置に回動する一対の櫛歯部と、
前記一対の櫛歯部を前記挟持位置において係止する櫛歯係止部と、
を備え、
前記櫛歯係止部は、前記ベースプレートの前記櫛歯部とは反対側の面の中央において押圧されることで、前記櫛歯部を係止する位置から退避し、
前記櫛歯係止部は、前記一対の櫛歯の両方を該櫛歯の幅方向の一端において係止する第１の係止部と、前記一対の櫛歯の両方を該櫛歯の幅方向の他端において係止する第２の係止部と、を含み、
前記第１の係止部及び前記第２の係止部は、前記ベースプレートにおいて回動可能に支持され、前記一対の櫛歯部が嵌め込まれ該一対の櫛歯部を係止する係止位置と、前記ベースプレートの前記櫛歯部とは反対側の面の中央において押圧されて前記一対の櫛歯部の係止を解除する解除位置とに回動する、
ことを特徴とするかつら用ストッパ。
【請求項２】
ベースプレートと、
前記ベースプレートの両端において回動可能に支持され、毛髪を挟持する挟持位置及びそこから退避した開放位置に回動する一対の櫛歯部と、
前記一対の櫛歯部を前記挟持位置において係止する櫛歯係止部と、
を備え、
前記櫛歯係止部は、前記ベースプレートの前記櫛歯部とは反対側の面の中央において押圧されることで、前記櫛歯部を係止する位置から退避し、
前記櫛歯係止部は、前記一対の櫛歯の両方を該櫛歯の幅方向の一端において係止する第１の係止部と、前記一対の櫛歯の両方を該櫛歯の幅方向の他端において係止する第２の係止部と、を含み、
前記第１の係止部及び前記第２の係止部を前記ベースプレートに対し回動可能に保持する係止部保持具を更に備える、
ことを特徴とするかつら用ストッパ。
【請求項３】
人工毛髪又は人毛を植設されたかつらベースと、
前記かつらベースに取付けられた、請求項１又は請求項２記載のかつら用ストッパと、
を備えることを特徴とするかつら。
【発明の詳細な説明】
【技術分野】
【０００１】
本発明は、かつらを装着者の自毛に固定するのに用いられるかつら用ストッパ、及び、このかつら用ストッパを備えるかつらに関する。
【背景技術】
【０００２】
かつらを装着する場合、一般的に、接着によりかつらを装着者の頭部に固定する手法や、ストッパによりかつらを装着者の自毛に固定する手法（例えば、特許文献１〜３参照）がとられている。
【０００３】
特許文献１に記載されたかつら用ストッパでは、基材の両端において支持された一対の挟持部材は、基材から突出する突出部を有し、この突出部において平板状の押さえ部材により位置決めされた状態で毛髪を挟持する。
【０００４】
特許文献２及び３に記載されたかつら用ストッパでは、櫛歯は、櫛歯が設けられた押さえ片と、基板とがそれらの一端において係止された状態で毛髪を挟持する。
なお、かつら以外の用途に用いられる単なる髪止め具も様々なものが提案されている（例えば、特許文献４〜６参照）。
【先行技術文献】
【特許文献】
【０００５】
【特許文献１】特開２０１１−２６７３７号公報
【特許文献２】特開昭６２−１９９８１０号公報
【特許文献３】特開昭５８−８１０６号公報
【特許文献４】特開平６−７２１５号公報
【特許文献５】実用新案登録第３１６７９２４号公報
【特許文献６】特表２００９−５０２２２２号公報
【発明の概要】
【発明が解決しようとする課題】
【０００６】
ところで、かつら用ストッパは、かつらの内側に配置されるため、かつらや自毛が邪魔をし、単なる髪止め具と比較して自毛の挟持を解除するのが困難である。
しかしながら、上記特許文献１に記載されたかつら用ストッパは、自毛の挟持を解除する場合、一対の挟持部材をそれぞれ手で開いて位置決め部材による位置決めを解除する必要があるため、かつらを取り外すのに手間がかかる。
【０００７】
また、上記特許文献２および３に記載されたストッパは、自毛の挟持を解除する場合、押さえ片と基板とを、それらの一端において一方を他方から引き離すようにして係止を解除する必要があるため、かつらを取り外すのに手間がかかる。
【０００８】
本発明の目的は、かつらの着脱を容易にすることができるかつら用ストッパ及びかつらを提供することである。
【課題を解決するための手段】
【０００９】
本発明のかつら用ストッパは、ベースプレートと、このベースプレートの両端において回動可能に支持され、毛髪を挟持する挟持位置及びそこから退避した開放位置に回動する一対の櫛歯部と、これら一対の櫛歯部を上記挟持位置において係止する櫛歯係止部と、を備え、上記櫛歯係止部は、上記ベースプレートの上記櫛歯部とは反対側の面の中央において押圧されることで、上記櫛歯部を係止する位置から退避する。
【００１０】
また、上記かつら用ストッパにおいて、上記櫛歯係止部は、上記一対の櫛歯の両方をこれら櫛歯の幅方向の一端において係止する第１の係止部と、上記一対の櫛歯の両方をこれら櫛歯の幅方向の他端において係止する第２の係止部と、を含むようにしてもよい。
【００１１】
また、上記かつら用ストッパにおいて、上記第１の係止部及び上記第２の係止部は、上記ベースプレートにおいて回動可能に支持され、上記一対の櫛歯部が嵌め込まれこれら一対の櫛歯部を係止する係止位置と、上記ベースプレートの上記櫛歯部とは反対側の面の中央において押圧されて上記一対の櫛歯部の係止を解除する解除位置とに回動するようにしてもよい。
【００１２】
また、上記かつら用ストッパにおいて、上記第１の係止部及び上記第２の係止部を上記ベースプレートに対し回動可能に保持する係止部保持具を更に備えるようにしてもよい。
本発明のかつらは、人工毛髪又は人毛を植設されたかつらベースと、このかつらベースに取付けられた、上記のかつら用ストッパと、を備える。
【発明の効果】
【００１３】
本発明によれば、かつらの着脱を容易にすることができる。
【図面の簡単な説明】
【００１４】
【図１】本発明の一実施の形態に係るかつら用ストッパの櫛歯開放状態を示す平面側斜視図である。
【図２】本発明の一実施の形態に係るかつら用ストッパの櫛歯挟持状態を示す平面側斜視図である。
【図３】本発明の一実施の形態に係るかつら用ストッパの櫛歯開放状態を示す平面図である。
【図４】本発明の一実施の形態に係るかつら用ストッパの櫛歯開放状態を示す正面図である。
【図５】本発明の一実施の形態に係るかつら用ストッパの櫛歯開放状態を示す右側面図である。
【図６】本発明の一実施の形態に係るかつら用ストッパの櫛歯開放状態を示す底面側斜視図である。
【図７】本発明の一実施の形態の変形例に係るかつら用ストッパの櫛歯開放状態を示す底面側斜視図である。
【図８】本発明の一実施の形態に係るかつらを示す底面図である。
【図９】本発明の他の実施の形態に係るかつら用ストッパの櫛歯開放状態を示す平面側斜視図である。
【図１０】本発明の他の実施の形態に係るかつら用ストッパの櫛歯開放状態から櫛歯挟持状態への移行過程を示す平面側斜視図である。
【図１１】本発明の他の実施の形態に係るかつら用ストッパの櫛歯挟持状態を示す平面側斜視図である。
【発明を実施するための形態】
【００１５】
以下、本発明の実施の形態に係るかつら用ストッパ及びかつらについて、図面を参照しながら説明する。
＜一実施の形態＞
図１は、本発明の一実施の形態に係るかつら用ストッパ１０の櫛歯開放状態（Ｐ２）を示す平面側斜視図である。
【００１６】
図２は、かつら用ストッパ１０の櫛歯挟持状態（Ｐ１）を示す平面側斜視図である。
図３〜図６は、かつら用ストッパ１０の櫛歯開放状態（Ｐ２）を示す平面図、正面図、右側面図、及び底面側斜視図である。
【００１７】
かつら用ストッパ１０は、ベースプレート１１と、一対の櫛歯部１２，１３と、櫛歯係止部の一例である第１の係止部１４及び第２の係止部１５と、係止部保持具１６と、を備え、例えば金属からなる。かつら用ストッパ１０の材質は、プラスチックやその他の材質であってもよい。
【００１８】
ベースプレート１１は、例えば長手方向である左右方向の両端において一対の櫛歯部１２，１３を回動可能に支持（軸支）する軸支部１１ａ，１１ｂを有する。
また、ベースプレート１１は、前後方向の両端において第１の係止部１４及び第２の係止部１５を回動可能に支持（軸支）する軸支部１１ｃ，１１ｄを有する。
【００１９】
また、ベースプレート１１には、長手方向（左右方向）に延びる角丸の長孔１１ｅが左右それぞれに３つずつ前後方向に並んで設けられている。この長孔１１ｅは、軽量化のため、或いは、金属探知機への反応を抑えるために設けられる。
【００２０】
一対の櫛歯部１２，１３は、上記の軸支部１１ａ，１１ｂにおいてベースプレート１１の両端において回動可能に支持され、毛髪を挟持する図２に示す挟持位置（Ｐ１）と、そこから退避した図１，３〜６に示す開放位置（Ｐ２）とに回動する。
【００２１】
一対の櫛歯部１２，１３は、複数本の櫛歯１２ａ，１３ａと、これらを先端と基端との間の位置で連結する連結部１２ｂ，１３ｂと、を有する。図２に示すように、櫛歯部１２，１の挟持位置（Ｐ１）において、櫛歯１２ａと櫛歯１３ａとは先端が前後方向に交互に並ぶように位置する。なお、図１及び図４に示すように、櫛歯１２ａ，１３ａの先端は、ベースプレート１１側に湾曲している。このように湾曲させているのは、安全性のため、或いは、毛髪を確実に挟持するためである。そのため、ベースプレート１１は、櫛歯部１２，１３側の面の中央が櫛歯１２ａ，１３ａの先端の湾曲部分を収容する凹形状となるように、長手方向において湾曲していることが望ましい。
【００２２】
第１の係止部１４は、爪部１４ａ，１４ｂによって一対の櫛歯１２，１３の両方を櫛歯の幅方向（前後方向）の一端（前端）において係止する。第２の係止部１５は、爪部１５ａ，１５ｂによって一対の櫛歯１２，１３の両方を櫛歯の幅方向（前後方向）の他端（後端）において係止する。
【００２３】
第１の係止部１４及び第２の係止部１５は、上記の軸支部１１ｃ，１１ｄにおいてベースプレート１１の前後方向の両端において回動可能に支持される。軸支部１１ｃ，１１ｄには、例えば巻きバネが設けられ、第１の係止部１４及び第２の係止部１５は、後述する係止側（係止位置側）に付勢されている。
【００２４】
第１の係止部１４及び第２の係止部１５は、図２に示すように一対の櫛歯部１２，１３が嵌め込まれ一対の櫛歯部１２，１３を係止する係止位置と、ベースプレート１１の櫛歯部１２，１３（裏面側）とは反対側（表面側）の面の中央の被押圧部分１４ｃ，１５ｃにおいて押圧されて一対の櫛歯部１２，１３の係止を解除する解除位置とに図５に示すように回動する。なお、第１の係止部１４及び第２の係止部１５は、上述のように係止側（係止位置側）に付勢されているため、被押圧部分１４ｃ，１５ｃを押圧されているときだけ解除位置にある。この被押圧力部分１４ｃ，１５ｃは、第１の係止部１４及び第２の係止部１５のそれぞれに設けられていなくとも、第１の係止部１４と第２の係止部１５とが同期移動可能に互いに連結されている場合には一方のみに設けることもできる。また、第１の係止部１４及び第２の係止部１５ｂの両方に連結された部材を被押圧部分とすることもできる。
【００２５】
なお、第１の係止部１４及び第２の係止部１５は、係止部保持具１６の爪部１６ａ，１６ｂによって回動可能に保持される。
係止部保持具１６は、図６に示すようにベースプレート１１の裏面側において櫛歯１２ａ，１３ａと直交するように延びる。係止部保持具１６の両端には、爪部１６ａ，１６ｂが設けられ、これら爪部１６ａ，１６ｂは、ベースプレート１１の表面側に突出して第１の係止部１４又は第２の係止部１５を保持する。
【００２６】
図７（変形例）に示すように、一対の櫛歯部１２，１３のそれぞれとベースプレート１１との間には、ベースプレート１１に接着された例えば、筒形状、柱形状、又はシート形状の滑り止め部材１７，１８を配置するようにしてもよい。
【００２７】
また、上述のかつら用ストッパ１０は、図８に示すように人工毛髪（又は人毛）１２０を植設されたかつらベース１１０を備えるかつら１００において、例えば前後左右の４つかつらベース２０に取付けられる。なお、かつら用ストッパ１０をかつらベース１１０に取り付ける数は、１つ以上であればいくつでもよい。
【００２８】
以上説明した本実施の形態では、櫛歯係止部の一例である第１の係止部１４及び第２の係止部１５は、一対の櫛歯部１２，１３を図２に示す挟持位置（Ｐ１）において係止する。また、第１の係止部１４及び第２の係止部１５は、ベースプレート１１の櫛歯部１２，１３（裏面側）とは反対側（表面側）の面の中央（被押圧部分１４ｃ，１５ｃ）において押圧されることで、櫛歯部１２，１３を係止する位置から退避する。
【００２９】
そのため、かつら用ストッパ１０は、かつら１００（かつらベース１１０）の内側に配置されるが、かつら１００の外側からかつら用ストッパ１０（ベースプレート１１）の中央を押圧するという簡単な作業で、櫛歯１２，１３を挟持位置（Ｐ１）から開放位置（Ｐ２）に退避させることができる。
【００３０】
よって、本実施の形態によれば、かつら１００の着脱を容易にすることができる。
また、本実施の形態では、櫛歯係止部１４，１５は、一対の櫛歯１２，１３の両方を櫛歯の幅方向の一端（前端）において係止する第１の係止部１４と、一対の櫛歯１２，１３の両方を櫛歯の幅方向の他端（後端）において係止する第２の係止部１５と、を含む。そのため、簡素な構成で確実に櫛歯部１２，１３を係止し、ひいては、確実に自毛を挟持することができる。
【００３１】
また、本実施の形態では、第１の係止部１４及び第２の係止部１５は、ベースプレート１１（軸支部１１ｃ，１１ｄ）において回動可能に支持され、一対の櫛歯部１２，１３が嵌め込まれ一対の櫛歯部１２，１３を係止する図２に示す係止位置と、ベースプレート１１の櫛歯部１２，１３（裏面側）とは反対側（表面側）の面の中央の被押圧部分１４ｃ，１５ｃにおいて押圧されて一対の櫛歯部１２，１３の係止を解除する解除位置とに回動する。そのため、より簡素な構成で確実に櫛歯部１２，１３を係止し、ひいては、確実に自毛を挟持することができる。
【００３２】
また、本実施の形態では、単一の係止部保持具１６が第１の係止部１４及び第２の係止部１５をベースプレート１１に対し回動可能に保持する。そのため、簡素な構成で確実に櫛歯部１２，１３を保持することができる。
【００３３】
図９は、本発明の他の実施の形態に係るかつら用ストッパ２０の櫛歯開放状態（Ｐ２）を示す平面側斜視図である。
図１０は、かつら用ストッパ２０の櫛歯開放状態（Ｐ２）から櫛歯挟持状態（Ｐ１）への移行過程を示す平面側斜視図である。
【００３４】
図１１は、かつら用ストッパ２０の櫛歯挟持状態（Ｐ１）を示す平面側斜視図である。
本実施の形態では、上述の一実施の形態と相違する点を説明し、共通する点については説明を省略する。
【００３５】
かつら用ストッパ２０は、ベースプレート２１と、一対の櫛歯部２２，２３と、櫛歯係止部の一例である第１の係止部２４及び第２の係止部２５と、係止部保持具２６と、を備える。
【００３６】
ベースプレート２１の軸支部２１ａ，２１ｂは、上述の一実施の形態と同様に一対の櫛歯部２２，２３を回動可能に支持（軸支）するが、第１の係止部２４及び第２の係止部２５を回動可能に支持（軸支）する軸支部２１ｃ，２１ｄは、前後方向の両端ではなく、ベースプレート２１の中央に設けられた中央矩形孔２１ｅの前端及び後端に設けられている。なお、本実施の形態のベースプレート２１には、長孔（１１ｅ）は設けられていない。
【００３７】
一対の櫛歯部２２，２３の櫛歯２２ａ，２３ａは、櫛歯部２２，２３の先端側の一部のみに設けられ、櫛歯部２２，２３の櫛歯２３ａ，２３ｂよりも基端側には平面部２２ｂ，２３ｂが形成されている。
【００３８】
第１の係止部２４及び第２の係止部２５は、互いに異なる係止部保持具２６，２７によって回動可能に保持されている。これら係止部保持具２６，２７は、ベースプレート２１の中央矩形孔２１ｅの前端で且つ第１の係止部２４に形成された矩形孔２４ａの前端と、ベースプレート２１の中央矩形孔２１ｅの後端で且つ第２の係止部２５の矩形孔２５ａの後端と、に設けられている。
【００３９】
本実施の形態の第１の係止部２４及び第２の係止部２５の被押圧部分２４ｂ，２５ｂは、矩形孔２４ａ，２５ａよりもベースプレート２１の中央側である。
以上説明した本実施の形態においても、櫛歯係止部の一例である第１の係止部２４及び第２の係止部２５は、一対の櫛歯部２２，２３を図１１に示す挟持位置（Ｐ１）において係止する。また、第１の係止部２４及び第２の係止部２５は、図１０及び図９に示すようにベースプレート２１の櫛歯部２２，２３（裏面側）とは反対側（表面側）の面の中央（被押圧部分２４ｃ，２５ｃ）において押圧されることで、櫛歯部２２，２３を係止する位置から退避する。
【００４０】
そのため、本実施の形態によっても、かつらの着脱を容易にすることができる。
【符号の説明】
【００４１】
１０      かつら用ストッパ
１１      ベースプレート
１１ａ，１１ｂ，１１ｃ，１１ｄ      軸支部
１１ｅ      長孔
１２，１３      櫛歯部
１２ａ，１３ａ      櫛歯
１２ｂ，１３ｂ      連結部
１４      第１の係止部
１４ａ，１４ｂ      爪部
１４ｃ      被押圧部分
１５      第２の係止部
１５ａ，１５ｂ      爪部
１５ｃ      被押圧部分
１６      係止部保持具
１６ａ，１６ｂ      爪部
１７，１８      滑り止め部材
２０      かつら用ストッパ
２１      ベースプレート
２１ａ，２１ｂ，２１ｃ，２１ｄ      軸支部
２１ｅ      中央矩形孔
２２，２３      櫛歯部
２２ａ，２３ａ      櫛歯
２２ｂ，２３ｂ      平面部
２４      第１の係止部
２４ａ      矩形孔
２４ｂ      被押圧部分
２５      第２の係止部
２５ａ      矩形孔
２５ｂ      被押圧部分
２６，２７      係止部保持具
１００      かつら
１１０      かつらベース
１２０      人工毛髪（又は人毛）
【図１】
0005808603.tif 000002
【図２】
0005808603.tif 000003
【図３】
0005808603.tif 000004
【図４】
0005808603.tif 000005
【図５】
0005808603.tif 000006
【図６】
0005808603.tif 000007
【図７】
0005808603.tif 000008
【図８】
0005808603.tif 000009
【図９】
0005808603.tif 000010
【図１０】
0005808603.tif 000011
【図１１】
0005808603.tif 000012